(57)【要約】      （修正有）【課題】保持ローラー間が調整できるボールミル架台において可能な限り細い外径を有する容器でも使用できるようにする。【解決手段】ボールミル架台を、筐体１０と、筐体１０上部に固定される棒体からなる軸部２２とこの軸部２２に回動自在に軸支される円柱体又は円筒体からなるローラー部２１とにより構成され、互いの距離を変更し固定することができる、二本の平行に配列される保持ローラー２０と、筐体内に設けられるローラー２１部の少なくとも一つを回転駆動させる駆動手段とから構成する。【選択図】図１
0003134077.tif 000002
【実用新案登録請求の範囲】
【請求項１】
筐体と、
前記筐体上面に固定される棒体からなる軸部とこの軸部に回動自在に軸支される円柱体ア又は円筒体からなるローラー部とにより構成され、互いの距離を変更し固定することができる、二本の平行に配列される保持ローラーと、
前記筐体内に設けられる前記保持ローラーの少なくとも一つを回転駆動させる駆動手段とを有するボールミル架台。
【請求項２】
前記筐体上面には、前記各保持ローラーの前記軸部の両端を支持固定する係合固定部が、保持ローラーの配列方向に沿って複数設けられ、各保持ローラーの前記軸部の両端を支持する係合固定部を変更することで前記各保持ローラーは互いの距離を変更し固定することができる請求項１に記載のボールミル架台。
【請求項３】
前記ローラー部はボールベアリングによって前記軸部に回動自在に軸支される請求項１又は２に記載のボールミル架台。
【考案の詳細な説明】
【技術分野】
【０００１】
本考案はローラー間を変更できるボールミル架台に関し、特に、小さな外径を持つ容器に適用できるボールミル架台に関する。
【背景技術】
【０００２】
ボールミル架台は、一般的に平行に配列された２本のローラーを有し、少なくとも一本のローラーが回転駆動するようになっており、このローラー間に試料を入れた円筒体の容器を載せてローラーを回転させることで容器を回転させ、内部の試料を攪拌するものである。図３に従来の一般的なボールミル架台の斜視図を示す。図に示すボールミル架台は、筐体Ｂ上面にボールベアリングが内蔵された一対の軸受けＤが二組固定され、ぞれぞれの軸受けＤ間に軸とローラーとが一体となった保持ローラーＲが回動可能に固定されている。また、各保持ローラーＲを保持する軸受け同士が溝ｇに沿って移動できるようになっており、これにより図４（ａ）（ｂ）の上記ボールミル架台の正面図に示すように試料を入れる容器Ｃの外径に合わせて各保持ローラー間の距離を調整することができる。
【考案の開示】
【考案が解決しようとする課題】
【０００３】
ところで、従来のボールミル架台は、軸受けＤが筐体Ｂに固定されているために、保持ローラーＲ同士を最も近づける場合でも、図４（ｂ）に示すように軸受けＤ同士が互いに干渉するので、必ず保持ローラーＲ間に一定の隙間が空くこととなってしまう。
このため、この隙間よりも細い外径を有する容器Ｃで試料を回転させたい場合は、別のさらに小型のボールミル架台を用意する必要が生じる。
本考案は、このような問題に鑑みて、保持ローラー間が調整できるボールミル架台において可能な限り細い外径を有する容器でも使用できるようにすることを課題とする。
【課題を解決するための手段】
【０００４】
上記課題を解決するために、本考案は次のような構成を有する。
請求項１に記載の考案は、筐体と、前記筐体上部に固定される棒体からなる軸部とこの軸部に回動自在に軸支される円柱体又は円筒体からなるローラー部とにより構成され、互いの距離を変更し固定することができる、二本の平行に配列される保持ローラーと、前記筐体内に設けられる前記ローラー部の少なくとも一つを回転駆動させる駆動手段とを有するボールミル架台である。
請求項２に記載の考案は、請求項１に記載の考案において、前記筐体上面には、前記各保持ローラーの前記軸部の両端を支持固定する係合固定部が、保持ローラーの配列方向に沿って複数設けられ、各保持ローラーの前記軸部の両端を支持する係合固定部を変更することで前記各保持ローラーは互いの距離を変更し固定することができるものである。
請求項３に記載の考案は、前記ボールミル架台において、前記ローラー部はボールベアリングによって前記軸部に回動自在に軸支されるものである。
【考案の効果】
【０００５】
請求項１に記載の考案は、保持ローラーが軸部と軸部に回動自在に軸支されるローラー部とからなり、軸部が筐体に固定されるので、保持ローラー間を近づける場合、軸部同士を近づければよいこととなる。そして、軸部はローラー部よりも外径が小さいのでローラー部同士が接触しても軸部同士が干渉することがないので、ローラー部同士を接触するぎりぎりの距離まで近づけることができ、どのような細い外径の容器でも保持ローラー間に載せて回転させることが可能となる。
請求項２に記載の考案は、保持ローラーの軸部を固定する係合固定部を変更することで、保持ローラー間の距離を変更するので、図３に示すように溝に沿って保持ローラーを支持する軸受けをそれぞれ移動させることで保持ローラー間を調整する場合に比較して、保持ローラー同士を容易に平行に保持することができ、作業効率を高めることができる。
請求項３に記載の考案は、前記保持ローラーのローラー部をボールベアリングを介して軸部に回動可能に保持することで、ローラー部を長期間スムーズに回動させることができる。
【考案を実施するための最良の形態】
【０００６】
以下、本考案の実施の形態について説明する。
図１に本実施形態に係るボールミル架台Ｘの斜視図を示す。ボールミル架台Ｘは、筐体１０、筐体上面に固定される保持ローラー２０、後述する保持ローラー駆動装置とから構成される。
保持ローラー２０は２本設けられ、各保持ローラー２０は表面にゴムライニングを施した金属パイプからなるローラー部２１と、ローラー部２１を軸支する金属製のローラー部２１よりも長い丸棒からなる軸部２２とから構成される。ローラー部２１内周にはボールベアリング２２ａの外輪が嵌入固定されており、ボールベアリング２２ａの内輪内周に軸部２１外周が嵌合している。また、ローラー部２１の一方の端部の外周は円周に沿って溝が形成されており、この溝が後述する保持ローラー駆動装置のベルトに係合するローラープーリー２１ａを構成する。
【０００７】
筐体１０は直方体状の中空の箱体であり、内部に保持ローラー駆動装置等が内蔵される。筐体１０の上面には２本の軸受けアングル１１、１１が固定されている。軸受けアングル１１は、断面Ｌ字状の長尺部材であり、水平面が筐体１０に溶接もしくはビス止めにより固定される。軸受けアングル１１の上縁には保持ローラー２０の軸部２２の外周面が嵌る形状を有するＵ字状の切り欠き１１ａが等間隔に複数設けられている。この切り欠き１１ａが保持ローラー２０の軸部２２の両端を支持する係合固定部を構成する。なお、切り欠き部１１ａの底部の筐体１０上面からの距離はローラー部２１の半径よりも大きく設定される。２本の軸受けアングル１１は互いに平行かつ保持ローラー２０の軸部２２の長さよりも短く、ローラー部２１の長さよりも長い距離をもって相対するように固定されている。このような構成により、２本の軸受けアングル１１の相対する切り欠き１１ａ同士に、一方の保持ローラー２０の軸部２２の端部を嵌め入れさらに、別の相対する切り欠き１１ａ間に他方の保持ローラー２０の軸部２２の端部を嵌め入れることで、二本の保持ローラー２０を互いに平行に筐体１０上に固定することができる。
【０００８】
また、筐体１０上面の、軸受けアングル１１に保持ローラー２０を固定した状態において保持ローラー２０のローラープーリー２１ａが存する位置に重なる部分には軸受けアングル１１に平行に軸受けアングル１１とほぼ同じ長さの長穴１２が形成されている。各保持ローラー２０のローラープーリー２１ａにはベルト３４が掛けられ、このベルトはこの長穴を介して筐体１０内部の保持ローラー駆動装置を構成するモーターにより回動する駆動プーリーに掛けられる。図２（ａ）にボールミル架台Ｘを長穴１２の中心に沿った平面で切った模式的な断面図を示す。保持ローラー駆動装置３０は、モーター３１、モーター３１の回転軸に固定される駆動プーリー３２、回転軸が上下に移動可能に固定される可動プーリー３３、各プーリーに掛けられ力を伝達するベルト３４とから構成される。図２（ａ）に示すように可動プーリー３３の回動軸は筐体１０底面に連結される引張バネ３３ａによって付勢されており、これによって、保持ローラー２０を移動させてもベルト３４は常にテンションがかかった状態に維持されるようになっている。また、モーター３１は図示しない制御装置により制御される。
【０００９】
次に、以上のような構成を有するボールミル架台Ｘの使用方法について説明する。使用者は、試料を入れた円筒状の容器Ｃの外径に合わせて、保持ローラー２０を軸受けアングル１１の切り欠き１１ａから取り外して適当に移動させ、容器Ｃが保持ローラー２０間に載るような位置で、再び保持ローラー２０の軸部２２を切り欠き１１ａに嵌め入れて固定する。この際、ローラープーリー２１ａ間の距離が変わるが、可動プーリー３３によってベルト３３のテンションが保たれ、駆動プーリー３２による駆動力は常に伝達可能な状態となる。この状態で容器Ｃを２本の保持ローラー２０のローラー部２１間に乗せて、ローラー保持部駆動装置３０を稼動させる。これにより、ローラー部２１が回動し、同時に、ローラー部２１の上に載っている容器Ｃも回転することとなり、容器Ｃ内の試料を攪拌することができる。
そして、本ボールミル架台Ｘは、保持ローラー２０のローラー部２１が軸部２２に軸支されて回動するようになっているので、ローラー部２１同士を近接させる際に邪魔をするものがなく、図２（ｂ）に示すようにほぼローラー部２１同士をほぼ接触する状態にまで近づけることができる。即ち、試料を封入する容器Ｃに関して実質的に使用される最も外径の細いものでも問題なく使用することができる。
なお、上記実施形態では、保持ローラー２０は軸部２２は軸受けアングル１１の切り欠きに対して回動自在に保持され、軸部２２が回動することを妨げないが、軸部２２を回動不能に固定するようにしてもよい。
【図面の簡単な説明】
【００１０】
【図１】実施形態に係るボールミル架台の斜視図である。
【図２】（ａ）ボールミル架台の長穴部における縦断面図であり、（ｂ）は保持ローラーを近接させた状態を示すボールミル架台の長穴部における縦断面図である。
【図３】従来のボールミル架台の斜視図である。
【図４】（ａ）は従来のボールミル架台の正面図であり、（ｂ）は保持ローラーを近接させた状態を示す従来のボールミル架台の正面図である。
【符号の説明】
【００１１】
Ｘ  ボールミル架台
１０    筐体
１１    軸受けアングル
１１ａ  切り欠き
２０    保持ローラー
２１    ローラー部
２２ａ  ベアリング
２２    軸部
３０    駆動装置
【図１】
0003134077.tif 000003
【図２】
0003134077.tif 000004
【図３】
0003134077.tif 000005
【図４】
0003134077.tif 000006